(57)【要約】      （修正有）【課題】下衣がずり下がり難く、かつ、着用者が苦しくなり難いように、ウェストバンド部で着用者のウェスト周りを締めることができ、製造効率が優れた下衣を提供する。【解決手段】複数の編地が縫合されてなる下衣であって、編地の上端部に、着用者のウェスト周りを緊締するウェストバンド部６を備え、ウェストバンド部６は、右編地１と左編地２と背マチ３とのウェスト部１１，２１，３１によって形成され、着用者の腹部を緊締するための腹部緊締部位６２と、着用者の背部を緊締するための背部緊締部位６１とを含み、背部緊締部位６１は、腹部緊締部位６２よりも緊締力が大きい。【選択図】図２
0003215988.tif 000002
【実用新案登録請求の範囲】
【請求項１】
複数の編地が縫合されてなる下衣であって、
上記編地の上端部によって形成された、着用者のウェスト周りを緊締するウェストバンド部を備え、
上記ウェストバンド部は、着用者の腹部を緊締するための腹部緊締部位と、当該着用者の背部を緊締するための背部緊締部位とを含み、
上記背部緊締部位は、上記腹部緊締部位よりも緊締力が大きいことを特徴とする下衣。
【請求項２】
上記編地は、
着用者の右下半身に対応する右編地と、
着用者の左下半身に対応する左編地と、
上記右編地と上記左編地との間に背側で挟まる背マチ編地と、を含み、
上記右編地および上記左編地の上記上端部は、上記腹部緊締部位であり、
上記背マチ編地の上端部は、上記背部緊締部位であることを特徴とする請求項１に記載の下衣。
【請求項３】
上記編地は、上記右編地と上記左編地との間に腹側で挟まる腹マチ編地をさらに含み、
上記腹マチ編地の上記上端部は、上記腹部緊締部位であり、
上記腹マチ編地と上記背マチ編地とは、各下端部同士で繋がる長マチ編地であることを特徴とする請求項２に記載の下衣。
【請求項４】
上記編地は、
着用者の右下半身に対応する右編地と、
着用者の左下半身に対応する左編地と、
上記右編地と上記左編地との間に腹側で挟まる腹マチ編地と、を含み、
上記右編地および上記左編地の上記上端部は、上記背部緊締部位であり、
上記腹マチ編地の上端部は、上記腹部緊締部位であることを特徴とする請求項１に記載の下衣。
【請求項５】
上記編地は、上記右編地と上記左編地との間に腹側で挟まる背マチ編地をさらに含み、
上記背マチ編地の上記上端部は、上記背部緊締部位であり、
上記腹マチ編地と上記背マチ編地とは、各下端部同士で繋がる長マチ編地であることを特徴とする請求項４に記載の下衣。
【請求項６】
上記背部緊締部位には、地糸と挿入糸との少なくとも一方として、上記腹部緊締部位に用いる糸よりも高弾性の弾性糸が用いられていることを特徴とする請求項２〜５の何れか１項に記載の下衣。
【請求項７】
上記背部緊締部位には、上記腹部緊締部位よりも多数の弾性糸が挿入糸として用いられていることを特徴とする請求項２〜６の何れか１項に記載の下衣。
【請求項８】
挿入糸として用いられている弾性糸の本数は、上記背部緊締部位に対して上記腹部緊締部位が、３０％以上６０％以下である請求項７に記載の下衣。
【請求項９】
複数枚の上記編地は、
着用者の右下半身に対応する右編地と、
着用者の左下半身に対応する左編地と、を含み、
上記右編地および上記左編地の腹側端部は、上記腹部緊締部位であり、
上記右編地および上記左編地の背側端部は、上記背部緊締部位であることを特徴とする請求項１に記載の下衣。
【請求項１０】
上記背部緊締部位は、上記腹部緊締部位よりもボス糸が多く挿入されていることを特徴とする請求項１〜９の何れか１項に記載の下衣。
【請求項１１】
上記背部緊締部位の編成組織は、上記腹部緊締部位の編成組織よりも、低伸長性であることを特徴とする請求項１〜１０の何れか１項に記載の下衣。
【請求項１２】
上記背部緊締部位は、中心から上記腹部緊締部位に向って緊締力が段階的にまたは徐々に小さくなることを特徴とする請求項１０または１１に記載の下衣。
【請求項１３】
上記編地の上記上端部は袋状に編成されていることを特徴とする請求項１〜１２の何れか１項に記載の下衣。
【請求項１４】
少なくとも１つの編地の上記ウェストバンド部は、
袋状に編成されており、
外側の編地が内側の編地よりも低伸長性であることを特徴とする請求項１〜１３の何れか１項に記載の下衣。
【請求項１５】
少なくとも１つの編地の上記ウェストバンド部は、
袋状に編成されており、
上側の編地が下側の編地よりも低伸長性であることを特徴とする請求項１〜１４の何れか１項に記載の下衣。
【考案の詳細な説明】
【技術分野】
【０００１】
本考案は、下衣に関する。本考案は特に、ウェストバンド部を備える下衣に関する。
【背景技術】
【０００２】
多くの下衣が、着用者のウェスト周りをウェストバンド部で締めることによって、着用されている。このようなウェストバンド部は、下衣がずり下がり難く、かつ、着用者が苦しくなり難いように、締めることが要求されている。この要求を叶えるために、例えば特許文献１〜３に開示されているように、ウェストバンド部の特定部分にのみゴムバンドを縫着し、その他の部分にはゴムバンドを縫着しないことが提案されている。
【０００３】
また、ウェストバンド部について、例えば特許文献４〜６に開示されているように、ゴムバンドを縫着する代わりに弾性糸を挿入糸としてウェストバンド部を構成する編地に挿入することも提案されている。
【先行技術文献】
【特許文献】
【０００４】
【特許文献１】実開昭４８−８５８１７号公報（１９７３年１０月１８日公開）
【特許文献２】実開昭４９−５２７１９号公報（１９７４年５月１０日公開）
【特許文献３】実開平５−９６００２号公報（１９９３年１２月２７日公開）
【特許文献４】実開平８−３８０１号公報（１９９６年１月９日公開）
【特許文献５】実用新案出願公告昭５１−２１８４４号公報（１９７６年６月７日公告）
【特許文献６】実用新案出願公開昭６１−７８８０８号公報（１９８６年５月２６日公開）
【考案の概要】
【考案が解決しようとする課題】
【０００５】
しかしながら、特許文献１〜３のようなゴムバンドを部分的に縫着する従来技術には、下衣本体に加えてゴムバンドを用意し、ウェストバンドの特定部分にのみゴムバンドを縫着する必要がある。このため、製造効率が劣るという問題がある。
【０００６】
一方、特許文献４〜６のような弾性糸を挿入する従来技術では、同じ編地でコース方向に挿入の有無を切り替えたり、緩急を付けたりすることはできない。このため、弾性糸を全体に緩く挿入すると下衣がずり下がり易く、弾性糸を全体にきつく挿入すると着用者が苦しくなりやすいという問題がある。
【０００７】
したがって、特許文献１〜６のような従来技術は、（ｉ）下衣がずり下がり難く、かつ、着用者が苦しくなり難い、ウェストバンド部で着用者のウェスト周りを締めることができ、（ｉｉ）製造効率が優れた下衣を提供できないという問題がある。
【０００８】
本考案の一態様は、（ｉ）下衣がずり下がり難く、かつ、着用者が苦しくなり難いように、ウェストバンド部で着用者のウェスト周りを締めることができ、（ｉｉ）製造効率が優れた下衣を実現することを目的とする。
【課題を解決するための手段】
【０００９】
上記の課題を解決するために、本考案の一態様に係る下衣は、複数の編地が縫合されてなる下衣であって、上記編地の上端部によって形成された、着用者のウェスト周りを緊締するウェストバンド部を備え、上記ウェストバンド部は、着用者の腹部を緊締するための腹部緊締部位と、当該着用者の背部を緊締するための背部緊締部位とを含み、上記背部緊締部位は、上記腹部緊締部位よりも緊締力が大きい構成である。
【００１０】
上記の構成によれば、ウェストバンド部は編地によって形成されるので、着用者のウェスト周りを緊締するためのゴムバンド（例えば平ゴムなど）がウェストバンド部に縫着されていない。したがって、ウェストバンド部にゴムバンドを縫着等する作業を省略することができるので、製造効率に優れた下衣を実現できる。
【００１１】
さらに、上記構成によれば、ウェストバンド部のうち、背部緊締部位は、腹部緊締部位よりも緊締力が大きい。このため、腹部緊締部位は、着用者の腹部を相対的に弱く緊締するため、着用者が特に苦しさを感じやすい腹部への食い込みや圧迫を抑制できる。同時に、腹部緊締部位は、着用者の背部を相対的に強く緊締するため、ウェストバンド部は全体として、下衣がずり落ち難いように着用者のウェスト周りを締めることができる。
【００１２】
本考案の一態様に係る下衣によれば、上記編地は、着用者の右下半身に対応する右編地と、着用者の左下半身に対応する左編地と、上記右編地と上記左編地との間に背側で挟まる背マチ編地と、を含み、上記右編地および上記左編地の上記上端部は、上記腹部緊締部位であり、上記背マチ編地の上記上端部は、上記背部緊締部位である構成が好ましい。この場合、上記編地は、上記右編地と上記左編地との間に腹側で挟まる腹マチ編地をさらに含み、上記腹マチ編地の上記上端部は、上記腹部緊締部位であり、上記腹マチ編地と上記背マチ編地とは、各下端部同士で繋がる長マチ編地であってもよい。
【００１３】
本考案の一態様に係る下衣によれば、上記編地は、着用者の右下半身に対応する右編地と、着用者の左下半身に対応する左編地と、上記右編地と上記左編地との間に腹側で挟まる腹マチ編地と、を含み、上記右編地および上記左編地の上記上端部は、上記背部緊締部位であり、上記腹マチ編地の上記上端部は、上記腹部緊締部位である構成が好ましい。この場合、上記編地は、上記右編地と上記左編地との間に腹側で挟まる背マチ編地をさらに含み、上記背マチ編地の上記上端部は、上記背部緊締部位であり、上記腹マチ編地と上記背マチ編地とは、各下端部同士で繋がる長マチ編地であってもよい。
【００１４】
上記の構成によれば、背部緊締部位と腹部緊締部位との変更は、背マチと右編地および左編地との切替えか、腹マチと右編地および左編地との切替えか、または長マチと右編地および左編地との切替えに一致する。このため、背部緊締部位と腹部緊締部位とで、挿入糸および／または地糸を変更することによって、容易に緊締力を変更することができる。
【００１５】
本考案の一態様に係る下衣によれば、上記背部緊締部位には、地糸と挿入糸との少なくとも一方として、上記腹部緊締部位に用いる糸よりも高弾性の弾性糸が用いられている構成が好ましい。これにより、背部緊締部位の伸長性を抑え、背部緊締部位の緊締力を高めることができる。また、上記背部緊締部位には、地糸と挿入糸との両方として、上記腹部緊締部位よりも高弾性の弾性糸が用いられている構成が更に好ましい。これにより、背部緊締部位の伸長性を更に抑え、ウェストバンド部の緊締力を適切に高めることができる。
【００１６】
本考案の一態様に係る下衣によれば、上記背部緊締部位には、上記腹部緊締部位よりも多数の弾性糸が挿入糸として用いられている構成が好ましい。この場合、挿入糸として用いられている弾性糸の本数は、上記背部緊締部位に対して上記腹部緊締部位が、３０％以上６０％以下である構成が好ましい。
【００１７】
本考案の一態様に係る下衣によれば、複数枚の上記編地は、着用者の右下半身に対応する右編地と、着用者の左下半身に対応する左編地と、を含み、上記右編地および上記左編地の腹側端部は、上記腹部緊締部位であり、上記右編地および上記左編地の背側端部は、上記背部緊締部位である構成が好ましい。
【００１８】
上記の構成によれば、背部緊締部位と腹部緊締部位との変更位置は、右編地の内部と左編地の内部とに位置し、編地同士の切替えから無関係に設定されることができる。
【００１９】
本考案の一態様に係る下衣によれば、上記背部緊締部位は、上記腹部緊締部位よりもボス糸が多く挿入されている構成が好ましい。
【００２０】
上記の構成によれば、上記背部緊締部位は、上記腹部緊締部位よりもボス糸が多く挿入されている。このため、背部緊締部位は編目が詰まるので、編成組織の伸長性が低くなる。
【００２１】
本考案の一態様に係る下衣によれば、上記背部緊締部位の編成組織は、上記腹部緊締部位の編成組織よりも、低伸長性である構成が好ましい。ここで、上記背部緊締部位のうち上記腹部緊締部位に近い部分と、上記腹部緊締部位のうち上記背部緊締部位に近い部分と、の編成組織は、同じであることが好ましく、また、表目と裏目とが交互に編成されている編成組織であることが好ましい。これにより、腹部緊締部位を適度な緊締力とすることができる。
【００２２】
本考案の一態様に係る下衣によれば、上記背部緊締部位は、中心から上記腹部緊締部位に向って緊締力が段階的にまたは徐々に小さくなる構成が好ましい。これにより、ウェストが大きい着用者でも過剰な締め付け感なく着用することができ好適である。
【００２３】
本考案の一態様に係る下衣によれば、上記編地の上記上端部は袋状に編成されている構成が好ましい。
【００２４】
上記の構成によれば、ウェストバンド部は、袋状に編成され、外側の編地と内側の編地とを連続的に編み合わされているため、下衣にコース方向の縫い目がない。このため、縫着により生じるごろつき感がなく好適である。なお、袋状の具体的な編成方法として、ダブルウェルト編みが挙げられる。
【００２５】
本考案の一態様に係る下衣によれば、少なくとも１つの編地の上記ウェストバンド部は、袋状に編成されており、外側の編地が内側の編地よりも低伸長性であることが好ましい。具体的には、内側の編地よりも外側の編地に、多い本数の弾性糸が分布したり、高弾性の弾性糸が分布したり、するように、挿入糸として弾性糸を含むことが挙げられる。
【００２６】
本考案の一態様に係る下衣によれば、少なくとも１つの編地の上記ウェストバンド部は、袋状に編成されており、上側の編地が下側の編地よりも低伸長性であることが好ましい。具体的には、下側の編地よりも上側の編地に、多い本数の弾性糸が分布したり、高弾性性の弾性糸が分布したり、するように、挿入糸として弾性糸を含むことが挙げられる。
【００２７】
また、上記ウェストバンド部全体は、地糸と挿入糸との少なくとも一方として弾性糸を含むことが好ましい。
【考案の効果】
【００２８】
本考案の一態様によれば、（ｉ）下衣がずり下がらず、かつ、着用者が苦しくならないように、ウェストバンド部で着用者のウェスト周りを締めることができ、（ｉｉ）製造効率が優れた下衣を実現することができる。
【図面の簡単な説明】
【００２９】
【図１】本考案の幾つかの実施形態に係るタイツを腹側から示す概略図である。
【図２】（ａ）本考案の一実施形態に係るタイツを腹側から示す概略図、および（ｂ）（ａ）に示したタイツを形成するための複数枚の編地を示す概略図である。
【図３】本考案の幾つかの実施形態に係る（ａ）背部緊締部位の挿入糸の分布と、（ｂ）〜（ｅ）腹部緊締部位の挿入糸の分布と、の例を示す概略断面図である。
【図４】（ａ）本考案の別の一実施形態に係るタイツを腹側から示す概略図、および（ｂ）（ａ）に示したタイツを形成するための複数枚の編地を示す概略図である。
【図５】（ａ）本考案の別の一実施形態に係るタイツを腹側から示す概略図、および（ｂ）（ａ）に示したタイツを形成するための複数枚の編地を示す概略図である。
【図６】（ａ）本考案の別の一実施形態に係るタイツを腹側から示す概略図、および（ｂ）（ａ）に示したタイツを形成するための複数枚の編地を示す概略図である。
【図７】（ａ）本考案の別の一実施形態に係るタイツを腹側から示す概略図、および（ｂ）（ａ）に示したタイツを形成するための複数枚の編地を示す概略図である。
【図８】（ａ）本考案の別の一実施形態に係るタイツを腹側から示す概略図、および（ｂ）（ａ）に示したタイツを形成するための複数枚の編地を示す概略図である。
【図９】（ａ）本考案の別の一実施形態に係るタイツを腹側から示す概略図、および（ｂ）（ａ）に示したタイツを形成するための複数枚の編地を示す概略図である。
【図１０】（ａ）本考案の別の一実施形態に係るタイツを腹側から示す概略図、および（ｂ）（ａ）に示したタイツを形成するための複数枚の編地を示す概略図である。
【考案を実施するための形態】
【００３０】
本明細書において「伸縮性」とは、伸長および伸長して元に戻ることが可能な性質を意味する。
【００３１】
本明細書において「伸長性」とは、伸長しやすい性質を意味する。従って、「低伸長性」とは比較的伸長しにくい（伸長に力を要する）ことを意味し、「高伸長性」とは比較的伸長しやすい（伸長に力を要しない）ことを意味する。「弾性」とは、外力によって変形した物体が、その外力が除かれた時、元の形に戻ろうとする性質を意味する。従って、「高弾性」とは戻る力（縮む力）が強いことを意味し、「低弾性」とは戻る力が弱いことを意味する。
【００３２】
本明細書においては、「伸長性」を主に編地の特性として使用し、「弾性」を主に糸の特性として使用する。また、糸と編地の関係において、高弾性の糸を使用した編地は、一般的に伸ばしにくく、すなわち「低伸長性」となるが、編地の伸長性は糸の特性以外に編成組織等を任意に変えることにより調整可能であるため、区別して使い分けている。
【００３３】
本明細書において、「弾性糸」は、弾性が高い糸を意味し、例えば、ゴム糸、ポリウレタン糸、ゴム糸に他の糸をカバーリングしたＦＴＹ（Ｆｉｌａｍｅｎｔ  Ｔｗｉｓｔｅｄ  Ｙａｒｎ）、およびポリウレタン糸に他の糸をカバーリングしたＦＴＹなどを意味する。
【００３４】
本明細書において「地糸」は、編地全体を編成する糸を意味し、複数の地糸で編地を編成する場合、表側（外側，着用者の反対側）に出る地糸を「表糸」と称し、裏側（内側，着用者側）に出る地糸を「裏糸」と称する。
【００３５】
本明細書において「挿入糸」は、地糸とは別に、地糸とは別に、適宜編地のコース方向へ編目を作らず連続的に挿入される糸を意味する。また、本明細書において「ボス糸」は、地糸の何れかと一体に、適宜編地の全体または部分的に挿入され、編目を編成する糸を意味する。
〔実施形態１〕
以下、本考案の一実施形態について、詳細に説明する。
【００３６】
図１は、本考案の幾つかの実施形態に係るタイツ１００を腹側から示す概略図である。
【００３７】
図１に示すように、タイツ１００は、着用者のウェスト周りを締めるためのウェストバンド部６と、着用者の腰回りを覆うパンティ部７と、右脚部１３と、左脚部２３と、を備える。また、タイツ１００は、複数枚の編地がウェール方向に縫合されることによって形成されており、各編地は、ウェストバンド部に相当するウェスト部（上端部）がその下のパンティ部に相当する腰部と連続して編成されている。ウェストバンド部６は、各編地のウェスト部が縫合されて一体となった部位であり、パンティ部７は、各編地の腰部が縫合されて一体となった部位である。また、各ウェスト部は、挿入糸および／または地糸として弾性糸を含むことによって、コース方向に伸ばされた状態で縮もうとする弾性を備える。
【００３８】
タイツ１００は、コース方向に縫い目がないことが好ましい。これにより、不要なごろつき感や違和感を抑制することができる。各ウェスト部は、最初コースのループが最終コースに編み付けられて袋状に編成されていても、履き口がシングルウェルト編み等で一重に編成されていてもよい。
【００３９】
タイツ１００は、例示に過ぎず、本考案の利用範囲を限定するものではない。本考案は、ウェストバンド部を備える下衣に利用可能である。例えば、ズボン，パンツ，スパッツ，レギンス，パンティストッキング，スラックス下（股引とも呼ばれる），およびガードルなどに利用可能である。
【００４０】
図２は、（ａ）本実施形態に係るタイツ１０１を腹側から示す概略図、および（ｂ）（ａ）に示したタイツ１０１を形成するための複数枚の編地を示す概略図である。
【００４１】
図２に示すように、本実施形態に係るタイツ１０１は、筒状の右編地１と、筒状の左編地２と、右編地１と左編地２との間に背側で挟まる背マチ３（背マチ編地）との３枚の編地から形成される。右編地１は、右ウェスト部１１（上端部）と右腰部１２と右脚部１３とがこの順に連続して編成されており、右ウェスト部１１と右腰部１２とを切開線１４に沿ってウェール方向に切り開かれるものであり、右下半身に対応する。同様に左編地２は、左ウェスト部２１（上端部）と左腰部２２と左脚部２３とがこの順に連続して編成されており、左ウェスト部２１と左腰部２２とを切開線２４に沿ってウェール方向に切り開かれるものであり、左下半身に対応する。また、背マチ３は背ウェスト部３１（上端部）と背腰部３２とがこの順に連続して編成されている。
【００４２】
切り開かれた右ウェスト部１１および左ウェスト部２１の切開線１４，２４で切り開かれてできる両端部は、着用者の腹側の端部が腹側端部１５，２５であり、着用者の背側の端部が背側端部１６，２６である。
【００４３】
タイツ１０１の右編地１と左編地２とは、右ウェスト部１１と左ウェスト部２１とが緊締力の弱い腹部緊締部位６２であるように、編成されている。またタイツ１０１の背マチ３は、背ウェスト部３１が緊締力の強い背部緊締部位６１であるように編成されている。
【００４４】
（背部緊締部位と腹部緊締部位）
背部緊締部位６１は、伸長性が低いため、腹部緊締部位６２と比較して強い緊締力がある。また、腹部緊締部位６２は、伸長性が高いため、背部緊締部位６１と比較して緊締力が弱く、腹部を圧迫しない。ウェストバンド部６全体が伸縮性を備えるので、着用者は、ウェストバンド部６を伸ばして、容易にタイツ１０１を着脱することができる。
【００４５】
さらに、背部緊締部位６１は、伸ばされた状態で縮もうとする力が強い高弾性を備えていることが好ましい。これにより、背部緊締部位６１の弾性が高まり、緊締力を高めることができる。また、腹部緊締部位６２は、伸ばされた状態で縮もうとする力が弱い低弾性を備えていることが好ましい。これにより、腹部緊締部位６２による過剰な締め付け感なくタイツ１０１を着用することができる。
【００４６】
タイツ１０１の背部緊締部位６１と腹部緊締部位６２とは、別の編地に設けられている。すなわち、右編地１および左編地２から背マチ３への切替えを利用して、腹部緊締部位６２から背部緊締部位６１へ変更されている。このため、タイツ１０１は下記構成Ａ〜Ｅの何れか１つ、幾つかの組合せ、または全ての組合せによって、実現されることができる。
構成Ａ：背部緊締部位６１に腹部緊締部位６２に用いる地糸よりも高弾性の弾性糸が地糸として用いられている。
構成Ｂ：背部緊締部位６１に腹部緊締部位６２に用いる挿入糸よりも高弾性の弾性糸が挿入糸として用いられている。
構成Ｃ：背部緊締部位６１に腹部緊締部位６２よりも多数の弾性糸が挿入糸として用いられている。
構成Ｄ：背部緊締部位６１が腹部緊締部位６２よりも低伸長性の編成組織で編成されている。
構成Ｅ：背部緊締部位６１に腹部緊締部位６２よりもボス糸が多く挿入されている。
【００４７】
また、上記構成Ａは、腹部緊締部位６２が地糸として弾性糸を含まない場合を含む。さらに、背部緊締部位６１に用いる高弾性の弾性糸は、特に裏糸として用いることが好ましい。
【００４８】
また、上記構成Ｂは、背部緊締部位６１における挿入糸の本数に対して、腹部緊締部位６２における挿入糸の本数が３０％以上６０％以下の範囲に収まることが好ましい。
【００４９】
また、上記構成Ｂおよび上記構成Ｃは、腹部緊締部位６２が挿入糸として弾性糸を含まない場合を含む。さらに、上記構成Ｂおよび上記構成Ｃでは、図３の（ａ）のように、背部緊締部位６１の緊締力が略均一に分布するのに対して、図３の（ｂ）〜（ｅ）のように、腹部緊締部位６２の緊締力が、タイツ１０１の内側（すなわち着用者側）よりも外側で、足側よりも頭側で、強くなるように分布することが好ましい。図３は、本考案の幾つかの実施形態に係る（ａ）背部緊締部位６１の挿入糸の分布と、（ｂ）〜（ｅ）腹部緊締部位６２の挿入糸の分布と、の例を示す概略断面図である。図３の左側，右側，下側，および上側が各々、タイツ１０１の内側，外側，足側および頭側に対応する。挿入糸３３，４３は、弾性糸であり、挿入糸３３の弾性は、挿入糸４３の弾性よりも高い。なお、図３は、挿入糸の位置を分かりやすく模した図であるから、最適な糸の太さや本数を示すものではない。
【００５０】
また、上記構成Ｄでは、背部緊締部位６１のうち腹部緊締部位６２に近い部分と、腹部緊締部位６２のうち背部緊締部位６１に近い部分とは、同じ編成組織であることが好ましい。腹部緊締部位６２は、ゴム編（リブ編）または鹿の子編など表目と裏目とが交互に編成されている編成組織であることがより好ましい。これにより、コース方向に適度な伸縮性をもたせることができる。背部緊締部位６１は、タック編で編成するのが好ましい。これにより、背部緊締部位６１の伸縮性が低くなり、緊締力を高めることができる。
【００５１】
上記構成Ｅは、腹部緊締部位６２にボス糸が挿入されない場合を含む。構成Ｅでは、ボス糸によって編目が詰まることによって、背部緊締部位６１の弾性が高まる。
【００５２】
（効果）
右ウェスト部１１と左ウェスト部２１と（特に、その腹側端部１５，２５）は、着用者の腹部の上に位置する。このため、右ウェスト部１１と左ウェスト部２１とが腹部緊締部位６２であるため、タイツ１０１のウェストバンド部６は、着用者の腹部を弱く緊締するため、着用者の腹部に食い込んだり、着用者の腹部を圧迫したりしにくい。すなわち、タイツ１０１の着用者は苦しくなりにくい。
【００５３】
着用者の背部の上に位置する背ウェスト部３１が背部緊締部位６１であるため、タイツ１０１のウェストバンド部６は全体として、タイツ１０１がずり落ち難いように十分に強くウェスト周りを締めることができる。
【００５４】
また、右編地１と左編地２と背マチ３とを縫合した後に、ウェストバンド部６にゴムバンドなどを縫着しなくてよい。このため、ゴムバンドを縫着する従来技術よりも、タイツ１０１は製造効率に優れる。
【００５５】
さらに、構成Ｄおよび／または構成Ｅによって実現されている場合、編成組織および／またはボス糸の量を多段階またはグラディエーション状に変更すことによって、多段階にまたはグラディエーション状に背部緊締部位６１の緊締力を調整することができる。背部緊締部位６１の緊締力は、中心から腹部緊締部位６２に向って、段階的にまたは徐々に弱くなることが好ましい。
［実施例１〜６］
本考案の本実施形態に係る幾つかの実施例について以下に説明する。
【００５６】
実施例１〜６の仕様は表１の通りであった。また、表１に記載されていない仕様（編成組織，弾性糸の量および分布など）は共通であった。
【００５７】
【表１】
0003215988.tif 000003
【００５８】
なお、「非弾性糸」は、弾性が極めて低いか、または、ほぼ０である糸であり、例えば、綿紡糸、綿ポリエステル混紡糸、綿アクリル混紡糸、などを用いた。また、「ＦＴＹ」は、ポリウレタン糸にポリエステル糸またはナイロン糸などをカバーリングしたポリウレタン系ＦＴＹ（Ｆｉｌａｍｅｎｔ  Ｔｗｉｓｔｅｄ  Ｙａｒｎ）を用いた。また、「ボス糸」は、捲縮加工（いわゆるウーリー加工）を施したナイロン糸またはポリエステル糸を用いた。弾性の大小関係は、ゴム糸＞ポリウレタン系ＦＴＹ＞ナイロン糸＞ポリエステル糸＞非弾性糸であった。
【００５９】
表１に示すように、実施例１は上記構成Ａに対応し、実施例２は上記構成Ａと上記構成Ｅとの組み合わせに対応し、実施例３〜５は上記構成Ｅに対応し、実施例６は上記構成Ｂと上記構成Ｃと上記構成Ｅとの組み合わせに対応した。
【００６０】
実施例１〜６の何れにおいても、背ウェスト部３１の緊締力は、右ウェスト部１１と左ウェスト部２１との緊締力よりも強かった。
〔実施形態２〕
本考案の他の実施形態について、以下に説明する。なお、説明の便宜上、上記実施形態にて説明した部材と同じ機能を有する部材については、同じ符号を付記し、その説明を繰り返さない。
【００６１】
図４は、（ａ）本実施形態に係るタイツ１０２を腹側から示す概略図、および（ｂ）（ａ）に示したタイツ１０２を形成するための複数枚の編地を示す概略図である。
【００６２】
図４に示すように、本実施形態に係るタイツ１０２は、筒状の右編地１ａと、筒状の左編地２ａと、の２枚の編地から形成され、マチを備えない。右編地１ａは、右ウェスト部１１ａと右腰部１２と右脚部１３とがこの順に連続して編成されており、右ウェスト部１１ａと右腰部１２とを切開線１４に沿ってウェール方向に切り開かれるものである。同様に左編地２ａは、左ウェスト部２１ａと左腰部２２と左脚部２３とがこの順に連続して編成されており、左ウェスト部２１ａと左腰部２２とを切開線２４に沿ってウェール方向に切り開かれるものである。
【００６３】
タイツ１０２の右編地１ａと左編地２ａとは、右ウェスト部１１ａと左ウェスト部２１ａとの背側端部１６ａ，２６ａが背部緊締部位６１であるように、右ウェスト部１１ａと左ウェスト部２１ａとの腹側端部１５ａ，２５ａが腹部緊締部位６２であるように、編成されている。
（背部緊締部位と腹部緊締部位）
したがって、前述の実施形態１に係るタイツ１０１と異なり、本実施形態に係るタイツ１０２は、背マチ３を含まず、かつ、背部緊締部位６１と腹部緊締部位６２とが同じ編地に設けられている。
【００６４】
本実施形態に係るタイツ１０２の背部緊締部位６１と腹部緊締部位６２とは、同じ編地に設けられている。すなわち、右編地１ａおよび左編地２ａの腹側端部１５ａ，２５ａから背側端部１６ａ，２６ａの間で、腹部緊締部位６２から背部緊締部位６１へ変更されている。このため、タイツ１０２は、構成Ｄ、構成Ｅ、または構成Ｄと構成Ｅとの組合せによって、実現されることができる。
構成Ｄ：背部緊締部位６１が腹部緊締部位６２よりも低伸長性の編成組織で編成されている。
構成Ｅ：背部緊締部位６１に腹部緊締部位６２よりもボス糸が多く挿入されている。
【００６５】
（効果）
右ウェスト部１１ａと左ウェスト部２１ａとの腹側端部１５ａ，２５ａは、着用者の腹部の上に位置する。このため、右ウェスト部１１ａと左ウェスト部２１ａとの腹側端部１５ａ，２５ａが腹部緊締部位６２であるため、タイツ１０２のウェストバンド部６は、着用者の腹部を弱く緊締するため、着用者の腹部に食い込んだり、着用者の腹部を圧迫したりしにくい。すなわち、タイツ１０２の着用者は苦しくなりにくい。
【００６６】
右ウェスト部１１ａと左ウェスト部２１ａとの背側端部１６ａ，２６ａは、着用者の背部の上に位置する。このため、右ウェスト部１１ａと左ウェスト部２１ａとの背側端部１６ａ，２６ａが背部緊締部位６１であるため、タイツ１０２のウェストバンド部６は全体として、タイツ１０２がずり落ち難いように十分に強くウェスト周りを締めることができる。
【００６７】
また、右編地１ａと左編地２ａとを縫合した後に、ウェストバンド部６にゴムバンドなどを縫着しなくてよい。このため、ゴムバンドを縫着する従来技術よりも、タイツ１０２は製造効率に優れる。
【００６８】
さらに、編成組織および／またはボス糸の量を多段階またはグラディエーション状に変更すことによって、多段階にまたはグラディエーション状に背部緊締部位６１の緊締力を調整することができる。背部緊締部位６１の緊締力は、中心から腹部緊締部位６２に向って、段階的にまたは徐々に弱くなることが好ましい。
【００６９】
以上のように、本実施形態に係るタイツ１０２は、前述の実施形態１に係るタイツ１０１と同様の効果を奏する。
【００７０】
加えて、本実施形態のタイツ１０２によれば、背部緊締部位６１の幅を、背マチ３の幅と無関係に自由に設定することができる。これに対して、前述の実施形態１に係るタイツ１０１においては、背部緊締部位６１が背ウェスト部３１と一致し、腹部緊締部位６２が右ウェスト部１１および左ウェスト部２１と一致する。
［実施例７〜１０］
本考案の幾つかの実施例について以下に説明する。
【００７１】
実施例７〜１０の仕様は表２の通りであった。また、表２に記載されていない仕様（編成組織，弾性糸の量および分布など）は共通であった。
【００７２】
【表２】
0003215988.tif 000004
【００７３】
なお、表１と同様に、「非弾性糸」は、弾性が極めて低いか、または、ほぼ０である糸であり、「ＦＴＹ」は、ポリウレタン系ＦＴＹを用い、「ボス糸」は、捲縮加工を施したナイロン糸またはポリエステル糸を用い、弾性の大小関係は、ゴム糸＞ポリウレタン系ＦＴＹ＞ナイロン糸＞ポリエステル糸＞非弾性糸であった。
【００７４】
表２に示すように、実施例７〜１０は上記構成Ｅに対応した。
【００７５】
実施例７〜１０の何れにおいても、右ウェスト部１１ａおよび左ウェスト部２１ａの背側端部１６ａ，２６ａの緊締力は、右ウェスト部１１ａおよび左ウェスト部２１ａの腹側端部１５ａ，２５ａの緊締力よりも強かった。
〔実施形態３〕
本考案の他の実施形態について、以下に説明する。なお、説明の便宜上、上記実施形態にて説明した部材と同じ機能を有する部材については、同じ符号を付記し、その説明を繰り返さない。
【００７６】
図５は、（ａ）本実施形態に係るタイツ１０３を腹側から示す概略図、および（ｂ）（ａ）に示したタイツ１０３を形成するための複数枚の編地を示す概略図である。
【００７７】
図５に示すように、本実施形態に係るタイツ１０３は、右編地１ａと左編地２ａと背マチ３との３枚の編地から形成される。タイツ１０３では、右ウェスト部１１ａおよび左ウェスト部２１ａの背側端部１６ａ，２６ａと背ウェスト部３１とが背部緊締部位６１であり、右ウェスト部１１ａおよび左ウェスト部２１ａの腹側端部１５ａ，２５ａが、腹部緊締部位６２である。すなわち、本実施形態に係るタイツ１０３は、前述の実施形態１，２のタイツ１０１，１０２の特徴を組み合わせたものである。
【００７８】
したがって、本実施形態に係るタイツ１０３は、前述の実施形態１に係るタイツ１０１と同様の効果を奏し、さらに、前述の実施形態２に係るタイツ１０２と同様の効果を奏する。
〔実施形態４〕
本考案の他の実施形態について、以下に説明する。なお、説明の便宜上、上記実施形態にて説明した部材と同じ機能を有する部材については、同じ符号を付記し、その説明を繰り返さない。
【００７９】
図６は、（ａ）本実施形態に係るタイツ１０４を腹側から示す概略図、および（ｂ）（ａ）に示したタイツ１０４を形成するための複数枚の編地を示す概略図である。
【００８０】
図６に示すように、本実施形態に係るタイツ１０４は、筒状の右編地１ｂと、筒状の左編地２ｂと、右編地１ｂと左編地２ｂとの間に腹側で挟まる腹マチ４（腹マチ編地）との３枚の編地から形成される。右編地１ｂは、右ウェスト部１１ｂと右腰部１２と右脚部１３とがこの順に連続して編成されており、右ウェスト部１１ｂと右腰部１２とを切開線１４に沿ってウェール方向に切り開かれるものである。同様に左編地２ｂは、左ウェスト部２１ｂと左腰部２２と左脚部２３とがこの順に連続して編成されており、左ウェスト部２１ｂと左腰部２２とを切開線２４に沿ってウェール方向に切り開かれるものである。腹マチ４は腹ウェスト部４１と腹腰部４２とがこの順に連続して編成されている。
【００８１】
切り開かれた右ウェスト部１１ｂおよび左ウェスト部２１ｂの切開線１４，２４で切り開かれてできる両端部は、着用者の腹側の端部が腹側端部１５ｂ，２５ｂであり、着用者の背側の端部が背側端部１６ｂ，２６ｂである。
【００８２】
タイツ１０４の右編地１ｂと左編地２ｂとは、右ウェスト部１１ｂと左ウェスト部２１ｂとが背部緊締部位６１であるように、編成されている。またタイツ１０４の腹マチ４は、腹ウェスト部４１が腹部緊締部位６２であるように、編成されている。
【００８３】
タイツ１０４の背部緊締部位６１と腹部緊締部位６２とは、別の編地に設けられている。すなわち、腹マチ４から右編地１ｂおよび左編地２ｂへの切替えを利用して、腹部緊締部位６２から背部緊締部位６１へ変更されている。このため、本実施形態に係るタイツ１０４は、前述の実施形態１に係るタイツ１０１の背部緊締部位６１と腹部緊締部位６２と同様に、実現されることができる。
【００８４】
（効果）
着用者の腹部の上に位置する腹ウェスト部４１が腹部緊締部位６２であるため、タイツ１０４のウェストバンド部６は、着用者の腹部を弱く緊締するため、着用者の腹部に食い込んだり、着用者の腹部を圧迫したりしにくい。すなわち、タイツ１０４の着用者は苦しくなりにくい。
【００８５】
右ウェスト部１１ｂと左ウェスト部２１ｂと（特に、その背側端部１６ｂ，２６ｂ）は、着用者の腹部の上に位置する。このため、右ウェスト部１１ｂと左ウェスト部２１ｂとが背部緊締部位６１であるため、タイツ１０４のウェストバンド部６は全体として、タイツ１０４がずり落ち難いように十分に強くウェスト周りを締めることができる。
【００８６】
また、右編地１ｂと左編地２ｂと腹マチ４とを縫合した後に、ウェストバンド部６にゴムバンドなどを縫着しなくてよい。このため、ゴムバンドを縫着する従来技術よりも、タイツ１０４は製造効率に優れる。
【００８７】
さらに、構成Ｄおよび／または構成Ｅによって実現されている場合、編成組織および／またはボス糸の量を多段階またはグラディエーション状に変更すことによって、多段階にまたはグラディエーション状に背部緊締部位６１の緊締力を調整することができる。背部緊締部位６１の緊締力は、中心から腹部緊締部位６２に向って、段階的にまたは徐々に弱くなることが好ましい。
【００８８】
以上のように、本実施形態に係るタイツ１０４は、前述の実施形態１に係るタイツ１０１と同様の効果を奏する。
〔実施形態５〕
本考案の他の実施形態について、以下に説明する。なお、説明の便宜上、上記実施形態にて説明した部材と同じ機能を有する部材については、同じ符号を付記し、その説明を繰り返さない。
【００８９】
図７は、（ａ）本実施形態に係るタイツ１０５を腹側から示す概略図、および（ｂ）（ａ）に示したタイツ１０５を形成するための複数枚の編地を示す概略図である。
【００９０】
図７に示すように、本実施形態に係るタイツ１０５は、右編地１ａと左編地２ａと腹マチ４との３枚の編地から形成される。タイツ１０５では、右ウェスト部１１ａおよび左ウェスト部２１ａの背側端部１６ａ，２６ａが背部緊締部位６１であり、右ウェスト部１１ａおよび左ウェスト部２１ａの腹側端部１５ａ，２５ａと腹ウェスト部４１とが、腹部緊締部位６２である。すなわち、本実施形態に係るタイツ１０５は、前述の実施形態２，４のタイツ１０２，１０４の特徴を組み合わせたものである。
【００９１】
したがって、本実施形態に係るタイツ１０５は、前述の実施形態１に係るタイツ１０１と同様の効果を奏し、さらに、前述の実施形態２に係るタイツ１０２と同様の効果を奏する。
〔実施形態６〕
本考案の他の実施形態について、以下に説明する。なお、説明の便宜上、上記実施形態にて説明した部材と同じ機能を有する部材については、同じ符号を付記し、その説明を繰り返さない。
【００９２】
図８は、（ａ）本実施形態に係るタイツ１０６を腹側から示す概略図、および（ｂ）（ａ）に示したタイツ１０６を形成するための複数枚の編地を示す概略図である。
【００９３】
図８に示すように、本実施形態に係るタイツ１０６は、右編地１と、左編地２と、右編地１と左編地２との間に股下を通って背側と腹側とで挟まる長マチ５（長マチ編地）との３枚の編地から形成される。長マチ５は背ウェスト部３１と背腰部３２と腹腰部４２と腹ウェスト部４１とがこの順に連続して編成されている。言い換えると、長マチ５は、背マチ３と長マチ４とが、背ウェスト部３１の反対側と腹ウェスト４１の反対側とで（各下端部同士で）繋がった編地である。
【００９４】
タイツ１０６の長マチ５は、背ウェスト部３１が背部緊締部位６１であり、腹ウェスト部４１が腹部緊締部位６２であるように編成されている。また、右ウェスト部１１および左ウェスト部２１は、前述の実施形態１と同様に、腹部緊締部位６２である。
【００９５】
タイツ１０６は、右編地１および左編地２から長マチ５の背ウェスト部３１への切替えを利用して、腹部緊締部位６２から背部緊締部位６１へ変更されている。このため、タイツ１０６は、前述の実施形態１に係るタイツ１０１と同様に、実現されることができる。したがって、本実施形態に係るタイツ１０６は、前述の実施形態１に係るタイツ１０１と同様の効果を奏する。
〔実施形態７〕
本考案の他の実施形態について、以下に説明する。なお、説明の便宜上、上記実施形態にて説明した部材と同じ機能を有する部材については、同じ符号を付記し、その説明を繰り返さない。
【００９６】
図９は、（ａ）本実施形態に係るタイツ１０７を腹側から示す概略図、および（ｂ）（ａ）に示したタイツ１０７を形成するための複数枚の編地を示す概略図である。
【００９７】
図９に示すように、本実施形態に係るタイツ１０７は、右編地１ｂと左編地２ｂと長マチ５との３枚の編地から形成される。タイツ１０７では、右ウェスト部１１ａおよび左ウェスト部２１ａと背ウェスト部３１とが背部緊締部位６１であり、腹ウェスト部４１が、腹部緊締部位６２である。
【００９８】
タイツ１０７は、長マチ５の腹ウェスト部４１から右編地１ｂおよび左編地２ｂへの切替えを利用して、腹部緊締部位６２から背部緊締部位６１へ変更されている。このため、タイツ１０７は、前述の実施形態４に係るタイツ１０４と同様に、実現されることができる。したがって、本実施形態に係るタイツ１０７は、前述の実施形態４に係るタイツ１０４と同様の効果を奏する。
【００９９】
さらに、本実施形態に係るタイツ１０７は、構成Ａおよび／または構成Ｂおよび／または構成Ｃによって実現されている場合であっても、右ウェスト部１１ａおよび左ウェスト部２１ａの緊締力を、背ウェスト部３１の緊締力から変更することができる。このため、背部緊締部位６１の緊締力を更に調整しやすい。背部緊締部位６１の緊締力は、背部から腹部に向って、段階的にまたは徐々に弱くなることが好ましい。
〔実施形態８〕
本考案の他の実施形態について、以下に説明する。なお、説明の便宜上、上記実施形態にて説明した部材と同じ機能を有する部材については、同じ符号を付記し、その説明を繰り返さない。
【０１００】
図１０は、（ａ）本実施形態に係るタイツ１０８を腹側から示す概略図、および（ｂ）（ａ）に示したタイツ１０８を形成するための複数枚の編地を示す概略図である。
【０１０１】
図１０に示すように、本実施形態に係るタイツ１０８は、右編地１ａと左編地２ａと長マチ５との３枚の編地から形成される。タイツ１０８では、右ウェスト部１１ａおよび左ウェスト部２１ａの背側端部１６ａ，２６ａと背ウェスト部３１とが背部緊締部位６１であり、右ウェスト部１１ａおよび左ウェスト部２１ａの腹側端部１５ａ，２５ａと腹ウェスト部４１とが、腹部緊締部位６２である。すなわち、本実施形態に係るタイツ１０３は、前述の実施形態６，２のタイツ１０６，１０２の特徴を組み合わせたものであるか、或いは、前述の実施形態７，２のタイツ１０７，１０２の特徴を組み合わせたものである。
【０１０２】
したがって、本実施形態に係るタイツ１０８は、前述の実施形態１に係るタイツ１０１と同様の効果を奏し、さらに、前述の実施形態２に係るタイツ１０２と同様の効果を奏する。
【０１０３】
本考案は上述した各実施形態に限定されるものではなく、請求項に示した範囲で種々の変更が可能であり、異なる実施形態にそれぞれ開示された技術的手段を適宜組み合わせて得られる実施形態についても本考案の技術的範囲に含まれる。
【産業上の利用可能性】
【０１０４】
本考案は、ウェストバンド部を備える下衣に利用可能である。例えば、ズボン，パンツ，スパッツ，レギンス，パンティストッキング，スラックス下（股引とも呼ばれる），およびガードルなどに利用可能である。
【符号の説明】
【０１０５】
１、１ａ、１ｂ  右編地
２、２ａ、２ｂ  左編地
３  背マチ（背マチ編地）
４  腹マチ（腹マチ編地）
５  長マチ（長背マチ編地）
６  ウェストバンド部
７  パンティ部
１１、１１ａ、１１ｂ  右ウェスト部（上端部）
１２  右腰部
１３  右脚部
１４  切開線
１５、１５ａ、１５ｂ  腹側端部
１６、１６ａ、１６ｂ  背側端部
２１、２１ａ、２１ｂ  左ウェスト部（上端部）
２２  左腰部
２３  左脚部
２４  切開線
２５、２５ａ、２５ｂ  腹側端部
２６、２６ａ、２６ｂ  背側端部
３１  背ウェスト部（上端部）
３２  背腰部
３３  挿入糸
４１  腹ウェスト部（上端部）
４２  腹腰部
４３  挿入糸
６１  背部緊締部位
６２  腹部緊締部位
１００、１０１、１０２、１０３、１０４、１０５、１０６、１０７、１０８  タイツ
【図１】
0003215988.tif 000005
【図２】
0003215988.tif 000006
【図３】
0003215988.tif 000007
【図４】
0003215988.tif 000008
【図５】
0003215988.tif 000009
【図６】
0003215988.tif 000010
【図７】
0003215988.tif 000011
【図８】
0003215988.tif 000012
【図９】
0003215988.tif 000013
【図１０】
0003215988.tif 000014